(57)【要約】【課題】  管理機等の歩行型農作業機において、ハンドル部の振動をなくし、強固に構成し乍ら、機体の運搬や格納時には、全体的に機体をコンパクトにし、オペレータの体格等に応じたハンドル高さ調節が容易に可能な歩行型農作業機を得る。【解決手段】  機体１にエンジン２，走行装置及びロータリＫを備えた歩行型農作業機Ｈにおいて、機体１に設けたハンドルフレーム１２に、作業位置から前方に折畳み自在に取付けたハンドル１３を、折畳み時にその先端が車高より低い位置にて固定されるように構成した。また、ハンドルフレーム１２に菊座２２ａ，２２ｂを介してハンドル１３の回動位置を調整自在に固定し、ハンドル１３の折畳み時にエンジン２及び機体１に接触しない位置に固定してなる。更に、菊座２２ａ，２２ｂは、ハンドル１３を等間隔の回動位置にて固定してなる。【選択図】      図２
2006191896.tif 000002
【特許請求の範囲】
【請求項１】
機体にエンジンを搭載すると共に、走行装置及びロータリを配設してなる歩行型農作業機において、
前記機体にハンドルフレームを取付け、かつ該ハンドルフレームに、作業位置から前方に折畳み自在にハンドルを取付け、
該ハンドルの折畳み時に、該ハンドルの先端が車高より低い位置にて前記ハンドルフレームに固定するように構成した、
歩行型農作業機。
【請求項２】
前記ハンドルフレームに、菊座を介して前記ハンドルの回動位置を調整自在に固定し、
前記ハンドルの折畳み時に、該ハンドルが前記エンジン及び機体に接触しない位置に、前記菊座にて固定してなる、
請求項１記載の歩行型農作業機。
【請求項３】
前記菊座は、前記ハンドルを等間隔の回動位置にて固定してなる、
請求項１又は２記載の歩行型農作業機。
【発明の詳細な説明】
【技術分野】
【０００１】
本発明は、管理機等の歩行型農作業機に係り、詳しくはそのハンドルの回動構成に関する。
【背景技術】
【０００２】
従来より、機体にエンジンを搭載すると共に、走行装置及びロータリを配設してなる歩行型農作業機において、上方に突出させたハンドルを、回動自在に係止して収納状態にできる技術は知られている（特許文献１，２，３参照）。
【０００３】
【特許文献１】特開２００３−１４６２５６号公報
【特許文献２】特開２００１−１２０００３号公報
【特許文献３】特開２００１−２５８３０２号公報
【発明の開示】
【発明が解決しようとする課題】
【０００４】
しかしながら、従来公知の上記特許文献１に記載のものは、作業機の機体を車等で運搬する際に、ハンドル７を折畳んで機体をコンパクト化したものであるが、このものは、本体１０の上部フレーム６後部に直接軸受部６０と有段の係合ロッド６２とを設けて、この低い位置で前記ハンドル７を前方に回動するようにしているので、ハンドル７が異常に長くなって作業時のオペレータの手元振動や車等での格納運搬時にハンドル７先端側の振動が大きくなるばかりか、ハンドル７全体が強度不足となりがちであり、しかもハンドル７の回動角度が有段であるため、オペレータの体格等に応じたハンドル７高さへの適応性も劣り作業性が悪くなるものである。
【０００５】
また、特許文献２に記載のものは、車高より高いハンドル支柱５の頂部をハンドル６の回動支点としてオペレータの足元側へ向けて、フランジ板９で有段調節するようにしたものであり、この場合には、ハンドル６を回動しても全体的に余りコンパクトとならず、しかも、ハンドル６の回動角度が有段であることの欠点を前記文献同様に有するものであって、特許文献３のものは、ハンドル支持体２２に延設したハンドル２３の、車高より高い中途部を有段調節する回動支点としているので、前記特許文献２の有する欠点をそのまま有しているものである。
【０００６】
そこで、本発明は、これら従来の諸不具合を改善し、ハンドル部の振動を極力なくし、強固に構成できるものであり乍ら、機体の運搬や格納時には、全体的に機体をコンパクトにできると共に、オペレータの体格等に応じたハンドル高さ調節が容易に可能な歩行型農作業機を得ることを目的とするものである。
【課題を解決するための手段】
【０００７】
請求項１に係る本発明は、機体（１）にエンジン（２）を搭載すると共に、走行装置（６）及びロータリ（Ｋ）を配設してなる歩行型農作業機（Ｈ）において、
前記機体（１）にハンドルフレーム（１２）を取付け、かつ該ハンドルフレーム（１２）に、作業位置から前方に折畳み自在にハンドル（１３）を取付け、
該ハンドル（１３）の折畳み時に、該ハンドル（１３）の先端が車高より低い位置にて前記ハンドルフレーム（１２）に固定するように構成した、
ことを第１の特徴とする歩行型農作業機にある。
【０００８】
また、請求項２に係る本発明は、前記ハンドルフレーム（１２）に、菊座（２２ａ，２２ｂ）を介して前記ハンドル（１３）の回動位置を調整自在に固定し、
前記ハンドル（１３）の折畳み時に、該ハンドル（１３）が前記エンジン（２）及び機体（１）に接触しない位置に、前記菊座（２２ａ，２２ｂ）にて固定してなる、
ことを第２の特徴とする歩行型農作業機にある。
【０００９】
更に、前記菊座（２２ａ，２２ｂ）は、前記ハンドル（１３）を等間隔の回動位置にて固定してなる、
ことを第３の特徴とする歩行型農作業機にある。
【００１０】
なお、上記カッコ内の符号は、図面と対照するためのものであるが、これにより特許請求の範囲に何等影響を及ぼすものではない。
【発明の効果】
【００１１】
請求項１に係る本発明によると、歩行型農作業機で作業をする際のハンドル強度を向上させるものであり乍ら、運搬又は格納する等のためにハンドルを前方に折畳んだ際、ハンドルの先端が車高より低い位置となるので、自動車への搭載時又は格納時に邪魔にならないようにコンパクトに納まり、また運搬時にオペレータは楽な姿勢でハンドル先端部を持つことができ、歩行型農作業機の運搬が容易となる。
【００１２】
また、請求項２に係る本発明によると、ハンドルの折畳み時に、ハンドルがエンジン、機体等に接触することがないので、運搬時又は格納時にハンドル並びにエンジン、機体等を破損することがない。
【００１３】
更に、請求項３に係る本発明によると、ハンドルを菊座により作業位置と折畳み位置との間で等間隔で固定できるので、オペレータの体格に応じたハンドル位置に容易に調節することができる。
【発明を実施するための最良の形態】
【００１４】
以下、図面に沿って本発明の好ましい実施の形態について説明する。図１は歩行型農作業機（管理機）Ｈの全体側面図であり、１は農作業機の機体であって、該機体１の中央上部にはエンジン２が備えてあり、該エンジン２の動力を、その下方の前後方向に長いミッションケース３内にある車軸４及びその前方の耕耘軸５に伝達し、図２の要部平面図で明らかな如く、前記車軸４の左右両端側には走行装置としての車輪６，６を、また、前記耕耘軸５の左右方向両側には、ロータリＫを構成する複数の耕耘爪７・を夫々装着して、圃場等での耕耘作業を行えるように構成されている。
【００１５】
更に、前記ミッションケース３の前部上方には、図１に記載の如く、扇状に広がったプレート８に、その取付け姿勢がレバー９によって上下方向に調節自在となるゲージ輪１０を前方に向けて装着している。そして、前記ゲージ輪１０の高さを必要に応じて鎖線の上下各位置等に移動調節することにより、耕深調節等が行えるように構成されている。
【００１６】
更にまた、図１で前記ミッションケース３の後部上方には、機体１上部の車高よりも低い位置にハンドルフレーム１２を強固に装着し、該ハンドルフレーム１２の頂部には、上方斜め後方に延びる運転操作用のハンドル１３と、これに沿うようにして機体１の走行変速や耕耘作業等の切換えをオペレータＯが運転操作位置から行えるようにした変速レバー１４が延出されている。そして、該変速レバー１４は、前記ハンドルフレーム１２の頂部と略同一高さの中途部１４ａにてその延長部分を着脱できる構成となっている。
【００１７】
なお、前記運転操作用のハンドル１３装着部には角度調節装置１５があって、オペレータＯが自分の体格に応じたハンドル１３高さ位置に取付角度を任意に調節したり、機体１の運搬時や格納時等にハンドル１３を図１，２の鎖線状態の任意の位置に折畳んで、機体１全体がコンパクトな状態にできる構成となっている。
【００１８】
ここで、１６は前記変速レバー１４の設定位置を案内する変速パネルであり、１７は前記ロータリＫの上部や両側部等を覆うロータリカバー、１８の鎖線は、前記耕耘爪７・先端の回転軌跡を夫々示し、１９は前記ハンドル１３の上部側に装着されたクラッチで、クラッチ入り状態では前記ハンドル１３の上部に沿う形状（図１，２の実線状態）となり、クラッチ切り状態では、起立した鎖線状態となる。更に、エンジン２からの動力は、前記変速レバー１４を変速パネル１６の適宜操作位置に変更させる操作により、前記ミッションケース３内に収納された変速装置２０を変更させて前記左右の車輪６，６及びロータリＫ等に伝達されるものである。
【００１９】
次に、前記ハンドル１３の角度調節装置１５部分の詳細について図２で説明するに、前記ハンドルフレーム１２の上端部に、左右両端側に一体的な菊座２２ａ，２２ａを備えた水平状の支持杆２３を設け、その左右外側に前記菊座２２ａ，２２ａと夫々係合する菊座２２ｂ，２２ｂを一体的に備えたループ形状のハンドル１３を設け、これらの両菊座２２ａ・，２２ｂ・の各中心部の穴２４・・・と前記支持杆２３の内部を左右方向に貫通する長尺ボルト２５を片側から挿通し、その反対側に設けたノブ２６を左右方向に回動させることにより、左右一対の菊座２２ａ，２２ｂ・・の係合，弛緩作用で、前記ハンドル１３を任意の角度に回動させてから適宜位置で係合させることにより、ハンドル１３の上下高さ位置を調節したり、図１，２の鎖線状態の如く大きく回動させて、運搬や格納状態の任意の位置に変姿させることが可能となるようになっている。なお、前記菊座２２ａ，２２ｂを作業位置と折畳み位置との間で等間隔に固定するようにすれば、オペレータＯの体格に応じたハンドル１３位置に容易に調節することができて作業性が良くなるものである。
【００２０】
そしてこの時、前記ハンドル１３は、強固なハンドルフレーム１２の支持杆２３にその両端で係止されているので、必要な長さ丈ですみ、農作業機で作業をする際のハンドル１３の強度を向上させることができると共に、オペレータＯの手元振動を抑制でき、しかも、前記ハンドル１３の回動支点となる支持杆２３の高さは、機体１の車高より低い位置で、ハンドル１３の形状は、その内側が空間となるループ形状となっているので、機体１の中央部分上方にエンジン２や燃料タンク等の突出物があっても、これらを取り囲む状態に折畳むことができて、折畳んだハンドル１３で囲む内部のものをガードする役目を果たし、運搬時や格納時に機体１を破損するようなことはなく、車等への搭載時や農閑期の格納時に、邪魔にならないよう全体的にコンパクトとなる。更に、機体１の運搬時に、オペレータＯは、楽な姿勢でハンドル１３の先端部を持つことが可能となって、機体１の運搬が楽となるものである。
【００２１】
本発明のものは以上の構成よりなるもので、通常の農作業等を行う際には、ハンドル１３を起立させた作業位置（図の実線位置）で行えば良いが、オペレータＯによっては、体格等が異なる。このような時には、オペレータＯの手前にある角度調節装置１５のノブ２６を緩めてハンドル１３の左右装着部に備えた一対の菊座２２ａ，２２ｂ・・の係止を一旦外し、ハンドル１３の角度をオペレータＯの体格に合わせた高さに調節した後、ノブ２６を締めれば、前記一対の菊座２２ａ，２２ｂ・・の係止により、適度な高さにハンドル１３が固定される。
【００２２】
また、機体１を乗用車のトランクや軽四の荷台等に搭載して運搬したり、農閑期で物置等に格納するような際には、前記角度調節装置１５のノブ２６を緩めて前記一対の菊座２２ａ，２２ｂ・・の係止を外すと共に、ハンドル１３を前方に大きく折畳んで折畳み位置（図の点線位置）に回動した後ノブ２６を締めれば良い。そして、この時の一対の菊座２２ａ，２２ｂの係止は、ハンドル１３の先端側が車高より低い位置に係止したり、エンジン２や機体１に接触しない任意の位置に係止出来るものである。なおこの際、前記変速レバー１４は、その中途部１４ａで延長部分が着脱自在に構成されているので、延長部分を外すことにより、突起部分をなくすことが可能となる。
【００２３】
要するに本発明は、歩行型農作業機Ｈで作業をする際のハンドル１３の強度を向上させるものであり乍ら、機体１の運搬又は格納する等のためにハンドル１３を前方に折畳んだ際、ハンドル１３の先端が車高より低い位置となるので、車への搭載時又は格納時等になんら邪魔にならないようにコンパクトに納まり、また運搬時にオペレータＯは楽な姿勢でハンドル１３先端部を持つことができ、歩行型農作業機Ｈの運搬が容易となるものである。
【００２４】
また、ハンドル１３の折畳時に、ハンドル１３がエンジン２、機体１等に接触することがないので、運搬時又は格納時にハンドル１３並びにエンジン２、機体１等を破損するようなことがない。
【００２５】
更に、ハンドル１３を菊座２２ａ，２２ｂにより作業位置と折畳み位置との間で等間隔で固定できるので、オペレータＯの体格に応じたハンドル１３位置に容易に調節することができるものである。
【図面の簡単な説明】
【００２６】
【図１】歩行型農作業機の全体側面図。
【図２】同上要部の平面図。
【符号の説明】
【００２７】
１  機体
２  エンジン
１２  ハンドルフレーム
１３  ハンドル
１５  角度調節装置
２２ａ，２２ｂ  菊座
２３  支持杆
２６  ノブ
Ｈ  歩行型農作業機（管理機）
Ｋ  ロータリ
Ｏ  オペレータ
【図１】
2006191896.tif 000003
【図２】
2006191896.tif 000004